(57)【特許請求の範囲】
【請求項１】
二眼式立体映像技術を用いて、立体表示用画像を表示部に表示することによってユーザに立体画像を視認させる立体画像表示装置であって、
ユーザが操作指示を行うためのユーザインターフェースと、
前記立体表示用画像を構成する右眼用画像及び左眼用画像の階調をそれぞれ補正するための右眼用画像階調補正テーブル及び左目用画像階調補正テーブルと、
前記右目用画像階調補正テーブル及び左目用画像階調補正テーブルを使用して、前記右眼用画像及び左眼用画像の階調をそれぞれ補正する階調補正部と、
前記階調補正部で階調補正された前記右眼用画像及び左眼用画像を前記表示部に表示する表示制御部と、
クロストークを低減するためのユーザ設定画面を、前記表示制御手段を介して前記表示部に表示し、前記ユーザ設定画面上でのユーザ操作に応答した前記ユーザインターフェースの指示に従って、前記右眼用画像階調補正テーブル又は左目用画像階調補正テーブルのガンマ曲線の特性を変更する階調設定部と、
を備えたことを特徴とする立体画像表示装置。
【請求項２】
前記ユーザ設定画面には、ユーザの右目と左目のクロストークの低減を独立して選択するための調整部が表示されており、
前記階調設定部は、前記調整部でユーザの右目のクロストーク低減が選択された場合には、前記左目用画像階調補正テーブルのガンマ曲線を下げる一方、前記調整部でユーザの左目のクロストーク低減が選択された場合には、前記右目用画像階調補正テーブルのガンマ曲線を下げることを特徴とする請求項１に記載の立体画像表示装置。
【請求項３】
前記階調設定部は、
サンプル画像を格納しており、
前記ユーザ設定画面に、変更前と変更後の右目用画像階調補正テーブル及び左目用画像階調補正テーブルを使用して、前記サンプル画像を構成する右目用画像及び左目用画像を補正した画像をそれぞれ表示することを特徴とする請求項１または請求項２に記載の立体画像表示装置。
【請求項４】
前記立体画像表示装置は、右目用および左目用の光の透過を開閉により制御するメガネを装着したユーザに、前記立体画像を視認させるメガネ・シャッタ方式を使用していることを特徴とする請求項１に記載の立体画像表示装置。
【請求項５】
二眼式立体映像技術を用いて、立体表示用画像を表示部に表示することによってユーザに立体画像を視認させる立体画像表示装置の表示方法であって、
前記立体表示用画像を構成する右眼用画像及び左眼用画像の階調をそれぞれ補正するための右眼用画像階調補正テーブル及び左目用画像階調補正テーブルを使用して、前記右眼用画像及び左眼用画像の階調をそれぞれ補正する階調補正工程と、
前記階調補正部で階調補正された前記右眼用画像及び左眼用画像を前記表示部に表示する表示工程と、
クロストークを低減するためのユーザ設定画面を前記表示部に表示し、前記ユーザ設定画面上でのユーザ操作に応答した前記ユーザインターフェースの指示に従って、前記右眼用画像階調補正テーブル又は左目用画像階調補正テーブルのガンマ曲線の特性を変更する階調設定工程と、
を含む立体画像表示装置の表示方法。
【請求項６】
二眼式立体映像技術を用いて、立体表示用画像を表示部に表示することによってユーザに立体画像を視認させる立体画像表示装置に搭載されるプログラムであって、
前記立体表示用画像を構成する右眼用画像及び左眼用画像の階調をそれぞれ補正するための右眼用画像階調補正テーブル及び左目用画像階調補正テーブルを使用して、前記右眼用画像及び左眼用画像の階調をそれぞれ補正する階調補正工程と、
クロストークを低減するためのユーザ設定画面を、前記表示部に表示し、前記ユーザ設定画面上でのユーザ操作に応答した前記ユーザインターフェースの指示に従って、前記右眼用画像階調補正テーブル又は左目用画像階調補正テーブルのガンマ曲線の特性を変更する階調設定工程と、
をコンピュータに実行させることを特徴とするコンピュータが実行可能なプログラム。
【発明の詳細な説明】
【技術分野】
【０００１】
本発明は立体画像表示装置、立体画像表示方法、及びコンピュータが実行可能なプログラムに関する。
【背景技術】
【０００２】
近時、立体（３Ｄ）映像（画像）を表示する３Ｄディスプレイや３Ｄ映画が話題となっており、各社から３Ｄテレビも販売されている。ここで採用されている３Ｄ技術は二眼式（ステレオ）立体映像技術と呼ばれる古くから知られている方式である。この二眼式立体映像技術は、（１）左の目に対応する左目用映像、右の目に対応する右目用映像を用意し、（２）用意した左右映像を同時に表示し、（３）何らかの方法で右目映像は右眼だけ，左目映像は左眼だけに提示するものである。
【０００３】
二眼式ステレオ立体映像技術は、（ａ）メガネ方式、（ｂ）裸眼方式（メガネなし方式）（ｃ）ビューワ方式に分けられる。さらに、（ａ）メガネ方式は、アナグリフ方式、偏光フィルタ方式、シャッタ方式（時分割方式）に分けることができる。また、（ｂ）裸眼方式は、パララックスバリア方式、レンティキュラ方式に分けることができる。また、（ｃ）ビュアー方式は、ステレオスコープ方式と、ヘッドマウント方式に分けることができる。このうち、市販の３Ｄテレビでは、メガネ方式のシャッタ方式を採用したものが多い。
【０００４】
二眼式立体映像技術で特に問題となるのが、クロストークである。二眼式立体映像技術では、左右用２つの映像はそれぞれの目に分離して提示される必要があるが、十分に分離できないで、左映像が右目に、右映像が左目へと、本来の目とは反対の目に映ってしまう場合がある。これがクロストークの起こっている状態である。クロストークは映像から得られる立体感に大きな影響を与えて、クロストークが大きいと映像が立体的に見えなくなるなどクロストークを如何に抑えるかが重要な課題となっている。
【０００５】
他方、同じ３Ｄ映像を表示していても、クロストークに対する感受性はユーザ毎に異なる。より具体的には、利き目、利き目の依存度、左右の視力等には個人差があり、例えば、右目（左目）が利き目の人は右目（左目）側のクロストークに対して多くの違和感を覚え、また、右目（左目）の視力が左目（右目）よりも高い人は、右目（左目）側のクロストークに対して多くの違和感を覚える。
【先行技術文献】
【特許文献】
【０００６】
【特許文献１】国際公開第２０１１／０３３６７４号公報
【特許文献１】特開２０１０−２８７９５６号公報
【発明の概要】
【発明が解決しようとする課題】
【０００７】
本発明は、上記に鑑みてなされたものであり、ユーザ毎に好適にクロストークを低減することが可能な立体画像表示装置、立体画像表示方法、及びコンピュータが実行可能なプログラムを提供することを目的とする。
【課題を解決するための手段】
【０００８】
上述した課題を解決し、目的を達成するために、本発明は、二眼式立体映像技術を用いて、立体表示用画像を表示部に表示することによってユーザに立体画像を視認させる立体画像表示装置であって、ユーザが操作指示を行うためのユーザインターフェースと、前記立体表示用画像を構成する右眼用画像及び左眼用画像の階調をそれぞれ補正するための右眼用画像階調補正テーブル及び左目用画像階調補正テーブルと、前記右目用画像階調補正テーブル及び左目用画像階調補正テーブルを使用して、前記右眼用画像及び左眼用画像の階調をそれぞれ補正する階調補正部と、前記階調補正部で階調補正された前記右眼用画像及び左眼用画像を前記表示部に表示する表示制御部と、クロストークを低減するためのユーザ設定画面を、前記表示制御手段を介して前記表示部に表示し、前記ユーザ設定画面上でのユーザ操作に応答した前記ユーザインターフェースの指示に従って、前記右眼用画像階調補正テーブル又は左目用画像階調補正テーブルのガンマ曲線の特性を変更する階調設定部と、を備えたことを特徴とする。
【０００９】
また、本発明の好ましい態様によれば、前記ユーザ設定画面には、ユーザの右目と左目のクロストークの低減を独立して選択するための調整部が表示されており、前記階調設定部は、前記調整部でユーザの右目のクロストーク低減が選択された場合には、前記左目用画像階調補正テーブルのガンマ曲線を下げる一方、前記調整部でユーザの左目のクロストーク低減が選択された場合には、前記右目用画像階調補正テーブルのガンマ曲線を下げることが望ましい。
【００１０】
また、本発明の好ましい態様によれば、前記階調設定部は、サンプル画像を格納しており、前記ユーザ設定画面に、変更前と変更後の右目用画像階調補正テーブル及び左目用画像階調補正テーブルを使用して、前記サンプル画像を構成する右目用画像及び左目用画像を補正した画像をそれぞれ表示することが望ましい。
【００１１】
また、本発明の好ましい態様によれば、前記立体画像表示装置は、右目用および左目用の光の透過を開閉により制御するメガネを装着したユーザに、前記立体画像を視認させるメガネ・シャッタ方式を使用することが望ましい。
【００１２】
また、上述した課題を解決し、目的を達成するために、本発明は、二眼式立体映像技術を用いて、立体表示用画像を表示部に表示することによってユーザに立体画像を視認させる立体画像表示装置の表示方法であって、前記立体表示用画像を構成する右眼用画像及び左眼用画像の階調をそれぞれ補正するための右眼用画像階調補正テーブル及び左目用画像階調補正テーブルを使用して、前記右眼用画像及び左眼用画像の階調をそれぞれ補正する階調補正工程と、前記階調補正部で階調補正された前記右眼用画像及び左眼用画像を前記表示部に表示する表示工程と、クロストークを低減するためのユーザ設定画面を前記表示部に表示し、前記ユーザ設定画面上でのユーザ操作に応答した前記ユーザインターフェースの指示に従って、前記右眼用画像階調補正テーブル又は左目用画像階調補正テーブルのガンマ曲線の特性を変更する階調設定工程と、を含むことを特徴とする。
【００１３】
また、上述した課題を解決し、目的を達成するために、本発明は、二眼式立体映像技術を用いて、立体表示用画像を表示部に表示することによってユーザに立体画像を視認させる立体画像表示装置に搭載されるプログラムであって、前記立体表示用画像を構成する右眼用画像及び左眼用画像の階調をそれぞれ補正するための右眼用画像階調補正テーブル及び左目用画像階調補正テーブルを使用して、前記右眼用画像及び左眼用画像の階調をそれぞれ補正する階調補正工程と、クロストークを低減するためのユーザ設定画面を前記表示部に表示し、前記ユーザ設定画面上でのユーザ操作に応答した前記ユーザインターフェースの指示に従って、前記右眼用画像階調補正テーブル又は左目用画像階調補正テーブルのガンマ曲線の特性を変更する階調設定工程と、をコンピュータに実行させることを特徴とする。
【発明の効果】
【００１４】
本発明によれば、ユーザ毎に好適にクロストークを低減することが可能となる。
【図面の簡単な説明】
【００１５】
【図１】図１は、本実施の形態に係る立体画像表示装置を適用したパーソナルコンピュータの概略のハードウェア構成例を示す図である。
【図２】図１のパーソナルコンピュータの３Ｄ画像表示に関する機能構成を示す図である。
【図３】図３は、右目用画像階調補正テーブルの一例を示す図である。
【図４】図４は、左目用画像階調補正テーブルの一例を示す図である。
【図５】図５は、右目用画像と左目用画像の切り替え及びメガネのシャッタの切り替えタイミングの概略を説明するための図である。
【図６】図６は階調設定部が表示するユーザ設定画面の一例を示す図である。
【図７】図７は、右目のクロストークの低減を説明するための説明図である。
【図８】図８は、左目のクロストークの低減を説明するための説明図である。
【発明を実施するための形態】
【００１６】
以下に、この発明にかかる立体画像表示装置、立体画像表示方法、及びコンピュータが実行可能なプログラムを図面に基づいて詳細に説明する。本発明の構成要素は、本明細書の図面に一般に示してあるが、様々な構成で広く多様に配置し設計してもよいことは容易に理解できる。したがって、本発明の装置、システム及び方法の実施形態についての以下のより詳細な説明は、特許請求の範囲に示す本発明の範囲を限定するものではなく、単に本発明の選択した実施形態の一例を示すものであって、本明細書の特許請求の範囲に示す本発明と矛盾無く装置、システム及び方法についての選択した実施形態を単に示すものである。当業者は、特定の細目の１つ以上が無くても、又は他の方法、部品、材料でも本発明を実現できることが理解できる。なお、この実施の形態によりこの発明が限定されるものではない。また、下記実施の形態における構成要素には、当業者が容易に想定できるもの又は実質的に同一のものが含まれる。
【００１７】
図１は、本実施の形態に係る立体画像（映像）表示装置を適用したパーソナルコンピュータの概略のハードウェア構成例を示す図である。本実施形態の立体画像表示装置として、二眼式立体映像技術のメガネ式のうちシャッタ方式（時間分割方式）で立体表示を行う液晶ディスプレイを一例として説明する。
【００１８】
パーソナルコンピュータ１は、同図に示すように、ＣＰＵ１１、ＲＯＭ１２、メモリ１３、ＨＤＤ（ハードディスク）１４、液晶ディスプレイ１５と、グラフィックスアダプタ１６と、ＨＩＤ１７と、エンベデッドコントローラ１８と、３Ｄ画像入力部１９と、ＵＳＢポート２０と、バッテリ２１、ＤＣ−ＤＣコンバータ２２、及びＡＣアダプタ２３を備えており、各部はバスを介して接続されている。
【００１９】
ＣＰＵ１１は、バスを介して接続されたＨＤＤ１４に格納されたＯＳ１４ａによりパーソナルコンピュータＰＣ１全体の制御を行うとともに、ＨＤＤ１４に格納された各種のプログラムに基づいて処理を実行する機能を司る。ＲＯＭ１２は、ＢＩＯＳ（Ｂａｓｉｃ  Ｉｎｐｕｔ／Ｏｕｔｐｕｔ  Ｓｙｓｔｅｍ：基本入出力システム）１２ａやデータ等を格納している。  
【００２０】
メモリ１３は、キャッシュメモリやＲＡＭで構成されており、ＣＰＵ１１の実行プログラムの読み込み領域として、実行プログラムの処理データを書き込む作業領域として利用される書き込み可能メモリである。
【００２１】
ＨＤＤ（ハードディスク）１４は、例えば、Ｗｉｎｄｏｗｓ（登録商標）等のノート型ＰＣ１全体の制御を行うためのＯＳ１４ａ、周辺機器類をハードウェア操作するための各種ドライバ１４ｂ、３Ｄ画像表示用アプリケーションプログラム（以下、「アプリケーションプログラム」を「アプリ」と称する）１４ｃ、他のアプリ１４ｄ等を記憶する機能を有する。３Ｄ画像表示用アプリ１４ｃは、液晶ディスプレイ１５に３Ｄ画像を表示するためのアプリケーションである。
【００２２】
３Ｄ画像入力部１９は、ＴＶ放送（地デジ、ＣＳ、ＢＳ）、記録媒体（ＤＶＤ、ブルーレイディスク、ＵＳＢメモリ等）、ネットワークなどから３Ｄ表示用画像が入力される。また、３Ｄ画像入力部１９は、２Ｄ画像を３Ｄ表示用画像に変換可能となっている。
【００２３】
グラフィックスアダプタ１６は、ＣＰＵ１１の制御に従って、表示情報をビデオ信号に変換し、変換したビデオ信号を液晶ディスプレイ１５に出力する。また、グラフィックスアダプタ１６は、３Ｄ表示用画像をＬＣＤパネル１５ａに表示して、ユーザに立体視させることが可能となっている。グラフィックスアダプタ１６は、３Ｄ表示用画像を表示する場合には、メガネ２４の左右の遮光シャッタを開閉させる。
【００２４】
液晶ディスプレイ１５は、液晶パネル１５ａとバックライト１５ｂとで構成されている。液晶パネル１５ｂは、透過型または半透過型の液晶パネルであり、ＣＰＵ１１の制御に従って、グラフィックアダプタ１６から入力される映像信号に応じた各種情報を表示する。バックライト１５ｂは、ＣＣＦＬ、ＬＥＤ等の発光部品や反射板で構成されており、ＬＣＤパネル１５ｂを照光する。バックライト１５ｂは、グラフィックスアダプタ１６を介して、ＣＰＵ１１から入力される制御情報に基づいて発光する。
【００２５】
メガネ２４は、液晶ディスプレイ１５のユーザ（観察者）が用いることにより立体視を可能とするものである。メガネ２４の各レンズに設けられた遮光シャッタの開閉は、グラフィックスアダプタ１６から供給される制御信号により制御される。
【００２６】
エンベデッドコントローラ１８は、ＨＩＤ（Human  Interface  Device）１７を制御する。ＨＩＤ１７は、ユーザが入力操作を行うためのユーザインターフェースであり、文字、コマンド等を入力する各種キーより構成されるキーボードや、画面上のカーソルを移動させたり、各種メニューを選択するタッチパッドやマウス、赤外線で操作指示を行うリモコン等である。
【００２７】
ＡＣアダプタ２３は、商用電源に接続して、ＡＣ電圧をＤＣ電圧に変換してＤＣ−ＤＣコンバータ２２に出力する。ＤＣ−ＤＣコンバータ２２は、ＡＣアダプタ２３から供給されるＤＣ電圧を所定の電圧に変換して各部に電力を供給し、また、バッテリ２１の充電を行う。バッテリ２１は、ＤＣ−ＤＣコンバータ２２により充電され、充電した電圧を各部に供給する。
【００２８】
図２は、図１のパーソナルコンピュータ１の３Ｄ画像表示に関する機能構成を示す図である。以下の説明では、ＣＰＵ１１がプログラムを実行して実現する機能を、プログラムを動作主体として説明する。
【００２９】
本実施の形態では、視差のある左目用画像と右目用画像とを切換表示し、観察者には左目用と右目用画像が交互に観察されるように専用のメガネ（右目用および左目用の光の透過を開閉により制御するメガネ）２４の左右のシャッタを交互に開閉する。表示される画像は２次元画像であるが、観察者の左目と右目とに視差のある画像が別々に表示されることで、両眼視差を利用した立体視が実現される。
【００３０】
３Ｄ画像表示用アプリ１４ｃは、液晶ディスプレイ１５で３Ｄ画像表示を行うためのアプリケーションであり、３Ｄ表示用画像を構成する右目用映像と左目用映像の階調を独立して補正可能となっている。３Ｄ画像表示用アプリ１４ｃは、右目用画像階調補正テーブル３１ａ及び左目用画像階調補正テーブル３１ｂを使用して、３Ｄ表示用画像を構成する右眼用画像及び左眼用画像の階調をそれぞれ補正する階調補正部３１と、クロストークを低減するためのユーザ設定画面を、グラフィックスアダプタ１６を介して液晶ディスプレイ１５に表示し、このユーザ設定画面上でのユーザ操作に応答したＨＩＤ１７の指示に従って、右眼用画像階調補正テーブル３１ａ又は左目用画像階調補正テーブル３１ｂのガンマ曲線の特性を変更する階調設定部３２とを備えている。
【００３１】
階調補正部３１は、３Ｄ表示用画像を構成する右目用画像の階調を補正するための右目用階調補正テーブル３１ａと、その左目用画像の階調を補正するための左目用階調補正テーブル３１ｂとを備えている。図３は、右目用画像階調補正テーブル３１ａの一例を示す図であり、Ｌ１はガンマ曲線を示している。図４は、左目用画像階調補正テーブル３１ｂの一例を示す図であり、Ｌ２はガンマ曲線を示している。
【００３２】
階調補正部３１は、３Ｄ画像入力部１９から入力される３Ｄ表示用画像の右目用画像を、右目用階調補正テーブル３１ａを使用して補正する。また、階調補正部３１は、３Ｄ画像入力部１９から入力される３Ｄ表示用画像の左目用画像を、左目用階調補正テーブル３１ｂを使用して補正する。階調補正部３１は、階調補正後の３Ｄ表示用画像（右目用画像及び左目用画像）をグラフィックスアダプタ１６に出力する。
【００３３】
グラフィックスアダプタ１６は、液晶ディスプレイ１５に対する３Ｄ表示用画像の右目用画像および左目用画像の書き込み順序（表示順序）を制御することにより、ユーザに立体画像を視認させる。ここでは、１フレーム期間内において左目用画像と右目用画像とが交互に表示する。尚、以下、１フレーム期間のうち、左目用画像の表示期間を「Ｌサブフレーム期間」、右目用画像の表示期間を「Ｒサブフレーム期間」と称する。
【００３４】
また、グラフィックスアダプタ１６は、右目用画像および左目用画像の出力タイミングに対応する制御信号をメガネ２４に出力する。尚、この制御信号は、例えば赤外線信号等の無線信号である。
【００３５】
メガネ２４は、左目用レンズ２４Ｌおよび右目用レンズ２４Ｒを有しており、これらの左目用レンズ２４Ｌおよび右目用レンズ２４にはそれぞれ、例えば液晶シャッタなどの遮光シャッター（不図示）が設けられている。これらの遮光シャッタにおける遮光機能の有効状態（クローズ（閉）状態）および無効状態（オープン（開）状態）は、グラフィックスアダプタ１６から供給される制御信号により制御される。
【００３６】
図５は、右目用画像と左目用画像の切り替え及びメガネ２４のシャッタの切り替えタイミングの概略を説明するための図である。グラフィックスアダプタ１６は、左目用画像および右目用画像の各表示期間に対応して、左目用レンズ２４Ｌおよび右目用レンズ２４Ｒの開状態および閉状態が交互に切り替わるように、メガネ２４を制御する。すなわち、Ｌサブフレーム期間には、左目用レンズ２４Ｌを開状態、右目用レンズ２４Ｒを閉状態とする制御を行う一方、Ｒサブフレーム期間には、右目用レンズ２４Ｒを開状態、左目用レンズ２４Ｌを閉状態とする制御を行う。これにより、１フレーム期間を２分割して右目用画像と左目用画像とを交互に切り替えて表示するメガネ・シャッタ方式において、ユーザは、右目用画像を右目、左目用画像を左目でそれぞれ観察することが可能となる。
【００３７】
上述したように、３Ｄ画像表示を行う場合に、左右画像の分離が不十分になると、右目（左目）に対する左目用画像（右目用画像）がもれてクロストークが発生する。このクロストークの感受性は個人差がある。本実施の形態では、ユーザのクロストークの感受性の個人差を解消するために、ユーザ毎にクロストークの低減が可能となっている。
【００３８】
図２に戻り、階調設定部３２は、クロストークを低減するためのユーザ設定画面を表示する。ユーザは、このユーザ設定画面を操作することでクロストークを低減させることが可能となっている。図６は、階調設定部３２が表示するユーザ設定画面４０の一例を示す図である。このユーザ設定画面４０には、右目または左目のクロストークを低減するためのクロストーク調整バー（調整部）４１と、変更前（Ｂｅｆｏｒｅ）の右目用画像階調補正テーブル３１ａ及び左目用画像階調補正テーブル３１ｂを使用した場合のサンプル画像３２ａについての３Ｄ画像４２と、クロストーク調整バー４１で特性を変更した変更後（Ａｆｔｅｒ）の右目用画像階調補正テーブル３１ａ及び左目用画像階調補正テーブル３１ｂを使用した場合のサンプル画像３２ａについての３Ｄ画像４３とが表示される。
【００３９】
このユーザ設定画面４０では、クロストーク調整バー４１を操作することで、ユーザの右目と左目のクロストークの低減が独立して調整可能となっている。ユーザは、クロストーク調整バー４１の調整ボタン４１ａを右側に移動させることで、右目のクロストークを低減でき、また、調整ボタン４１ａを左側に移動させることで左目のクロストークを低減することができる。
【００４０】
図７は、右目のクロストークの調整を説明するための説明図である。図８は、左目のクロストークの低減を説明するための図である。
【００４１】
図７において、ユーザが右目のクロストークが気になる場合（低減させたい場合）は、クロストーク調整バー４１の調整ボタン４１ａを右側に移動させる。階調設定部３２は、この右側の移動量に応じて、左目用画像階調補正テーブル３１ｂのガンマ曲線Ｌ２をＤＯＷＮさせる。これにより、右目に対する左目用画像のもれを低減でき、右目のクロストークを低減することができる。なお、ガンマ曲線Ｌ２は、中間調領域でガンマが高くなるＳ字型であるのが望ましい。
【００４２】
図８において、ユーザが左目のクロストークが気になる場合は、クロストーク調整バー４１のボタン４１ａを左側に移動させる。階調設定部３２は、この左側の移動量に応じて、右目用画像階調補正テーブル３１ａのガンマ曲線Ｌ１をＤＯＷＮさせる。これにより、左目に対する右目用画像のもれを低減でき、左目のクロストークを低減することができる。なお、ガンマ曲線Ｌ１は、中間調領域でガンマが高くなるＳ字型であるのが望ましい。
【００４３】
また、階調設定部３２は、サンプル画像３２ａを格納しており、このサンプル画像３２ａの右目用画像と左目用画像をそれぞれ現在（変更前）の右目用画像階調補正テーブル３１ａ及び左目用画像階調補正テーブル３１ｂで補正した３Ｄ画像４２を表示する。また、階調設定部３２は、サンプル画像の右目用画像と左目用画像をそれぞれ変更後の右目用画像階調補正テーブル３１ａ及び左目用画像階調補正テーブル３１ｂで補正した３Ｄ画像４３を表示する。これにより、ユーザはクロストーク低減効果を確認しながら、クロストークの低減を行うことが可能となる。
【００４４】
この後、３Ｄ画像入力部１９から入力される３Ｄ表示用画像は、ユーザにより変更された右目用画像階調補正テーブル３１ａ及び左目用画像階調補正テーブル３１ｂで右目用画像及び左目用画像がそれぞれ補正されるので、ユーザにとってクロストークが低減された３Ｄ画像が表示されることになる。
【００４５】
以上説明したように、本実施の形態によれば、ユーザが操作指示を行うためのＨＩＤ１７と、立体表示用画像を構成する右眼用画像及び左眼用画像の階調をそれぞれ補正するための右眼用画像階調補正テーブル３１ａ及び左目用画像階調補正テーブル３１ｂと、右目用画像階調補正テーブル３１ａ及び左目用画像階調補正テーブル３１ｂを使用して、右眼用画像及び左眼用画像の階調をそれぞれ補正する階調補正部３１と、階調補正部３１で階調補正された右眼用画像及び左眼用画像を液晶ディスプレイ１５に表示させるグラフィックスアダプタ１６と、クロストークを低減するためのユーザ設定画面４０を、グラフィックスアダプタ１６を介して液晶ディスプレイ１５に表示し、ユーザ設定画面４０上でのユーザ操作に応答したＨＩＤ１７の指示に従って、右眼用画像階調補正テーブル３１ａ又は左目用画像階調補正テーブル３１ｂのガンマ曲線Ｌ１、Ｌ２の特性を変更する階調設定部３２と、を備えているので、ユーザ毎にクロストークに対する感受性が異なっていても、
ユーザ毎に好適にクロストークを低減することが可能となる。
【００４６】
また、本実施の形態によれば、ユーザ設定画面４０には、ユーザの右目と左目のクロストークの低減を独立して選択するためのクロストーク調整バー４１が表示されており、階調設定部３２は、調整ボタン４１ａにより、ユーザの右目のクロストーク低減が選択された場合には、左目用画像階調補正テーブル３１ｂのガンマ曲線Ｌ１を下げる一方、ユーザの左目のクロストーク低減が選択された場合には、右目用画像階調補正テーブル３１ａのガンマ曲線Ｌ１を下げることが望ましい。
【００４７】
また、本実施の形態によれば、階調設定部３２は、サンプル画像３２ａを格納しており、ユーザ設定画面４０に、変更前と変更後の右目用画像階調補正テーブル３１ａ及び左目用画像階調補正テーブル３１ｂを使用して、サンプル画像３２ａを構成する右目用画像及び左目用画像を補正したサンプル立体画像４２、４３をそれぞれ表示することとしたので、ユーザはクロストーク低減効果を確認しながら、クロストークの低減の調整を行うことが可能となる。
【００４８】
また、本実施の形態では、右目用および左目用の光の透過を開閉により制御するメガネ２４を装着したユーザに、立体画像を視認させるメガネ・シャッタ方式を使用することとしたので、現行の二眼式立体映像技術において画質がよいと思われる方式を使用することができる。
【００４９】
なお、上記した実施の形態では、階調設定部３２は、右目（左目）のクロストークを低減させる場合、すなわち、調整ボタン４１ａが右側（左側）に操作された場合には、左目用画像階調補正テーブル３１ｂ（右目用画像階調補正テーブル３１ａ）のガンマ曲線をＤＯＷＮさせることとしたが、これに加えて、右目用画像階調補正テーブル３１ａ（左目用画像階調補正テーブル３１ｂ）のガンマ曲線をＵＰさせることにしてもよい。これにより、右目（左目）用画像の階調値が大きくなり、左目（右目）用画像からの漏れを相対的に感じにくくなる。
【００５０】
また、上記した実施の形態では、右目用画像階調補正テーブル３１ａ及び左目用画像階調補正テーブル３１ｂの特性をユーザ毎に登録可能としてもよい。これにより、同じパーソナルコンピュータ１を複数で使用する場合でも、使用するユーザ毎に好適にクロストークを低減することが可能となる。
【００５１】
また、本実施の形態では、クロストークを低減させるために、右目用画像または左目用画像の階調を変更することとしたが、バックライトの輝度を変更することにしてもよい。
この場合、Ｒ、Ｌサブフレーム毎にバックライトをＯＮ／ＯＦＦさせ、ＲサブフレームとＬサブフレームとでバックライトの輝度を変更可能な構成とする。具体的には、階調設定部３２は、右目（左目）のクロストークを低減させる場合、すなわち、調整ボタンが右側（左側）に操作された場合には、グラフィックスアダプタに、Ｌサブフレーム（Ｒサブフレーム）でのバックライトの輝度を低減させることにすればよい。
【００５２】
また、本実施の形態では、メガネ・シャッタ方式で立体表示を行う液晶ディスプレイについて説明したが、本発明はこれに限られるものではなく、右目用画像と左目用画像を表示部に表示した場合にクロストークが発生する二眼式立体映像技術の他の方式にも原理的に適用可能である。
【００５３】
また、上記した実施の形態では、本発明に係る立体画像表示装置として、パーソナルコンピュータを例示して説明したが、本発明に係る立体画像表示装置は、パーソナルコンピュータに限られるものではなく、例えば、３ＤＴＶ装置や３Ｄモニタ装置等の各種の立体画像表示装置に適用可能である。
【産業上の利用可能性】
【００５４】
以上のように、本発明にかかる立体画像表示装置、立体画像表示方法、及びコンピュータが実行可能なプログラムは、二眼式立体映像技術を用いた表示装置に広く適用可能である。
【符号の説明】
【００５５】
１  パーソナルコンピュータ
１１  ＣＰＵ
１２  ＲＯＭ
１３  メモリ
１４  ＨＤＤ（ハードディスク）
１４ａ  ３Ｄ画像表示用アプリケーション
１５  液晶ディスプレイ
１５ａ  液晶パネル
１５ｂ  バックライト
１６  グラフィックスアダプタ
１７  ＨＩＤ
１８  エンベデッドコントローラ
１９  ３Ｄ画像入力部
２０  ＵＳＢポート
２１  バッテリ
２２  ＤＣ−ＤＣコンバータ
２３  ＡＣアダプタ
２４  メガネ
３１  階調補正部
３１ａ  右目用階調補正テーブル
３１ｂ  左目用階調補正テーブル
３２  階調設定部
３２ａ  サンプル画像
【図１】
0005400126.tif 000002
【図２】
0005400126.tif 000003
【図３】
0005400126.tif 000004
【図４】
0005400126.tif 000005
【図５】
0005400126.tif 000006
【図６】
0005400126.tif 000007
【図７】
0005400126.tif 000008
【図８】
0005400126.tif 000009